(57)【特許請求の範囲】
【請求項１】
温水洗浄便座のリモートコントロール装置として構成され、トイレの内壁面に取り付けられるリモコン用表示装置であって、
リモートコントロールスイッチが配列されたスイッチ部と、
前記温水洗浄便座への人の接近または着座を検出する人体検出手段と、
この人体検出手段の検出の有無により、表示状態と非表示状態とを選択的に切り替える表示状態切替手段と、
前記人体検出手段により人が検出され、前記表示状態切替手段により表示状態が選択されたときには、前記スイッチ部の各スイッチの操作状況を表示する操作状況表示と設定状態を表示する設定状態表示とに表示面を切り替え可能とし、前記表示状態切替手段により非表示状態が選択されたときには、前記スイッチ部の各スイッチの操作状況及び設定状態を表示面に表示しない表示手段とを備えていることを特徴とするリモコン用表示装置。
【請求項２】
使用者が前記温水洗浄便座に着座したときに前記表示面が使用者の顔に向かうようにトイレの内壁面に取り付けられ、前記表示状態切替手段により非表示状態が選択されたときには表示面を鏡面としたことを特徴とする請求項１記載のリモコン用表示装置。
【発明の詳細な説明】
【０００１】
【発明の属する技術分野】
本発明は、リモコン用表示装置に関し、詳しくは、リモートコントロールスイッチによる操作状況や設定状態を表示するリモコン用表示装置に関する。
【０００２】
【従来の技術】
従来、この種のリモコン用表示装置としては、リモートコントロールスイッチの近傍に配置された液晶表示装置が一般的に用いられている。この装置では、リモートコントロールスイッチによる操作状況や設定状態を液晶表示している。
【０００３】
【発明が解決しようとする課題】
しかしながら、上述のリモコン用表示装置では、情報の表示が必要でないときでも表示したり、情報を表示していないときには単にブランクになってしまい、外観上好ましくない場合もあった。
【０００４】
なお、時刻を表示する表示装置としては、ポジ表示する情報表示用液晶パネルの背面に全面が透明状態と白濁状態とに切り替え可能な散乱モード型の背景用液晶パネルを配置すると共にさらにその背面に鏡板を配置し、背景用液晶パネルを白濁状態としたり透明状態とすることにより表示面を鏡面にするものも提案されている（例えば特開平９−３１１３４３号公報など）。
【０００５】
本発明のリモコン用表示装置は、情報の表示状態と非表示状態とを問わずに外観上好ましいものとすることを目的の一つとする。また、本発明のリモコン用表示装置は、簡易な構成で表示面を非表示状態のときに鏡面とすることを目的の一つとする。さらに、本発明のリモコン用表示装置は、リモートコントロールスイッチの操作状況に応じて必要な情報を表示することを目的の一つとする。
【０００６】
【課題を解決するための手段およびその作用・効果】
本発明のリモコン用表示装置は、上述の目的の少なくとも一部を達成するために以下の手段を採った。
【０００７】
本発明のリモコン用表示装置は、温水洗浄便座のリモートコントロール装置として構成され、トイレの内壁面に取り付けられるリモコン用表示装置であって、リモートコントロールスイッチが配列されたスイッチ部と、前記温水洗浄便座への人の接近または着座を検出する人体検出手段と、この人体検出手段の検出の有無により、表示状態と非表示状態とを選択的に切り替える表示状態切替手段と、前記人体検出手段により人が検出され、前記表示状態切替手段により表示状態が選択されたときには、前記スイッチ部の各スイッチの操作状況を表示する操作状況表示と設定状態を表示する設定状態表示とに表示面を切り替え可能とし、前記表示状態切替手段により非表示状態が選択されたときには、前記スイッチ部の各スイッチの操作状況及び設定状態を表示面に表示しない表示手段とを備えていることを特徴とする。
【０００８】
この本発明のリモコン用表示装置では、表示状態が選択されたときには表示面を操作状況表示と設定状態表示とに切り替え可能であり、非表示状態が選択されたときには表示面に操作状況及び設定状態を表示しないため、非表示状態における表示面の外観を好ましいものとすることができる。
【０００９】
こうした本発明のリモコン用表示装置において、前記非表示状態切替手段により非表示状態が選択されたときには前記表示面を鏡面とすることができる。こうすれば、非表示状態における表示面を鏡面として使用者の使用に資することができる。
【００１０】
こうした本発明のリモコン用表示装置において、前記表示手段は、表示面から透明パネル，情報表示用液晶パネル，鏡面パネルの順に積層してなるパネル部と、前記表示状態切替手段による切替に基づいて前記情報表示用液晶パネルによる液晶表示を制御する液晶表示制御手段とを備えるものとすることもできる。こうすれば、情報表示用液晶パネルへの情報の表示制御により表示状態と非表示状態とを切り替えることができる。
【００１１】
また、本発明のリモコン用表示装置において、前記表示手段は、表示面から見ると鏡面で裏面から見ると略透明なハーフミラーパネルと該ハーフミラーパネルの裏面に配置された情報表示用液晶パネルとからなるパネル部と、該情報表示用液晶パネルの裏面に配置され前記表示状態切替手段による切替に基づいて該情報表示用液晶パネルに光を照射する光照射手段と、前記情報表示用液晶パネルによる液晶表示を制御する液晶表示制御手段とを備えるものとすることもできる。こうすれば、光照射手段による光の照射の有無により表示状態と非表示状態とを切り替えることができる。
【００１２】
さらに、本発明のリモコン用表示装置において、前記表示状態切替手段は、前記表示手段の表面の少なくとも一部をタッチ操作することにより表示状態と非表示状態とを切り替える手段であるものとすることもできる。こうすれば、使用者の使い勝手を向上させることができる。この態様の本発明のリモコン用表示装置において、前記表示状態切替手段は前記表示手段の表面の少なくとも一部が機械的なスイッチ機構として機能することにより表示状態と非表示状態とを切り替える手段であるものとしたり、前記表示状態切替手段は前記表示手段の表面の少なくとも一部の静電容量の変化に基づいて表示状態と非表示状態とを切り替える手段であるものとすることもできる。
【００１３】
あるいは、本発明のリモコン用表示装置において、前記リモートコントロールスイッチが配置されたスイッチ部に一体的に取り付けられてなるものとすることもできる。
【００１５】
本発明のリモコン用表示装置において、前記表示手段は、開閉可能な開閉蓋を有し該開閉蓋の開状態で少なくとも一つのリモートコントロールスイッチの操作が可能で該開閉蓋の閉状態で該リモートコントロールスイッチとは異なる少なくとも一つのリモートコントロールスイッチの操作が可能なスイッチ部の該開閉蓋の開閉状態に基づいて表示内容を変更する手段であるものとすることもできる。こうすれば、スイッチ部の開閉蓋の開閉状態、即ち操作するスイッチによって表示内容を変更することができる。
【００１６】
また、本発明のリモコン用表示装置において、前記表示手段は、前記リモートコントロールスイッチの操作に基づいて表示領域を変更する手段であるものとすることもできる。こうすれば必要に応じた表示領域とすることができる。
【００１７】
さらに、本発明のリモコン用表示装置において、前記表示手段は、開閉可能な開閉蓋を有し該開閉蓋の開状態で少なくとも一つのリモートコントロールスイッチの操作が可能で該開閉蓋の閉状態で該リモートコントロールスイッチとは異なる少なくとも一つのリモートコントロールスイッチの操作が可能なスイッチ部の該開閉蓋の開閉状態に基づいて表示領域を変更する手段であるものとすることもできる。こうすれば、スイッチ部の開閉状態、即ち操作するスイッチによる操作状況や設定状態に応じた表示領域とすることができる。
【００１８】
本発明のリモコン用表示装置において、前記リモートコントロールスイッチによって操作および設定される温水洗浄便座への人の接近または着座を検出する人検出手段を備え、前記表示状態切替手段は、前記人検出手段により人の接近または着座が検出されたときには一旦表示状態に切り替える。こうすれば、人の接近により自動的に表示状態とすることができる。
【００１９】
本発明のリモコン用表示装置において、トイレの内壁面に取り付けられ前記リモートコントロールスイッチの一つとしての便座の温度を変更可能なスイッチの操作状況および／または設定状態を表示するものとしたり、トイレの内壁面に取り付けられ温水洗浄便座のコントロールを行なうスイッチの操作状況および／または設定状態を表示するものとすることもできる。こうすれば、非表示状態のリモコン用表示装置をトイレ内の鏡として利用することができる。これらの態様の本発明のリモコン用表示装置において、人の着座を検出可能な着座検出手段を備える便座装置のリモコンに併設されており、かつ、前記表示状態切替手段は前記人の着座が検出されたときには一旦表示状態に切り替える手段であるものとすることもできる。こうすれば、人の着座が検出されたときに自動的に表示状態にすることができる。
【００２０】
【発明の実施の形態】
次に、本発明の実施の形態を実施例を用いて説明する。図１は本発明の一実施例であるリモコン付き表示装置２０の外観を示す斜視図であり、図２は実施例のリモコン付き表示装置２０の構成の概略を示す構成図である。実施例のリモコン付き表示装置２０は、図示するように、温水洗浄便座のリモートコントロール装置として構成されており、「おしり」「ビデ」「乾燥」などのリモートコントロールスイッチが配列されたスイッチ部２２と、表示状態ではスイッチ部２２の各スイッチの操作状況や設定状態を表示し非表示状態では鏡面となる表示装置３０とを備える。この実施例のリモコン付き表示装置２０は、使用者が便座に着座して左右いずれかの側面または正面を向いたときに使用者の顔が表示面に向かい合うようトイレの内壁面に取り付けられる。
【００２１】
表示装置３０は、表示面が鏡面となるハーフミラー３２とその背面に配置され液晶により情報を表示する情報表示液晶パネル３４と更にその背面に配置され大小の二つの領域（状態表示領域４２と操作状況表示領域４４）を切り替えて照明可能な照明切替光源３６とからなる表示部３１と、装置をコントロールする電子制御ユニット５０とを備える。
【００２２】
ハーフミラー３２にはその表面の静電容量の変化を検知することにより操作者がハーフミラー３２の表面にタッチしたのを検出するタッチセンサ３８が取り付けられており、タッチセンサ３８は信号ラインにより電子制御ユニット５０に接続されている。情報表示液晶パネル３４には、グラフィックコントローラ４０が接続されており、グラフィックコントローラ４０により液晶による情報の表示制御が行なわれている。
【００２３】
電子制御ユニット５０は、ＣＰＵ５２を中心とするマイクロプロセッサとして構成されており、処理プログラムを記憶するＲＯＭ５４と、データを一時的に記憶するＲＡＭ５６と、入出力ポート（図示せず）とを備える。電子制御ユニット５０には、スイッチ部２２の各スイッチからの信号やタッチセンサ３８からの検出信号，図示しない便座に人が着座したのを検出する着座センサ６０からの検出信号などが入力ポートを介して入力されている。なお、着座センサ６０としては赤外線を用いるものや静電容量を用いるもの，歪み計を用いるものなど種々のものを用いることができる。また、電子制御ユニット５０からは、グラフィックコントローラ４０への制御信号が出力ポートを介して出力されている。
【００２４】
次に、こうして構成された実施例のリモコン付き表示装置２０の動作について説明する。図３は、実施例のリモコン付き表示装置２０の電子制御ユニット５０により実行される表示切替処理ルーチンの一例を示すフローチャートである。このルーチンは、所定時間毎（例えば、１００ｍｓｅｃ毎）に繰り返し実行される。
【００２５】
表示切替処理ルーチンが実行されると、電子制御ユニット５０のＣＰＵ５２は、まず、着座センサ６０により検出される着座信号を読み込む処理を実行する（ステップＳ１００）。続いて、着座信号により着座を判定し（ステップＳ１０２）、着座していると判定されたときには着座フラグＦが値０か否かを判定する（ステップＳ１０４）。着座フラグＦが値０のときには、この着座フラグＦに値１を設定すると共に（ステップＳ１０６）、表示部３１を液晶表示状態に切り替える（ステップＳ１０８）。この処理は、具体的には、照明切替光源３６が大小二つの領域４２，４４のうち小さい方の状態表示領域４２を照明するよう電子制御ユニット５０から照明切替光源３６に駆動信号を出力し、照明切替光源３６により情報表示液晶パネル３４の状態表示領域４２に相当する領域を背面から照明することにより実行される。こうした処理により状態表示領域４２に相当する情報表示液晶パネル３４の領域に表示された情報（文字や画像など）がハーフミラー３２の表示面に表示される。実施例では、スイッチ部２２のリモートコントロールスイッチにより設定された設定状態、例えば洗浄水の温度や便座の温度，温風乾燥の強さや洗浄強さなどを時刻と共に表示するものとした。なお、照明切替光源３６からの照明を受けていないときには、ハーフミラー３２の表示面は鏡面となる。図４に、表示部３１が液晶表示状態に切り替えられたときと液晶非表示状態に切り替えられたときの表示部３１の状態の一例を示す。図示するように、液晶表示状態では、ハーフミラー３２の図中中央の矩形部分に文字や画像の情報が表示され、液晶非表示状態では鏡面となっている。
【００２６】
そして、タッチセンサ３８からのタッチ信号を読み込み（ステップＳ１１０）、ハーフミラー３２の表面がタッチされたか否かを判定する（ステップＳ１１２）。ハーフミラー３２の表面がタッチされたと判定されると、表示部３１の表示状態を切り替えて（ステップＳ１１４）、本ルーチンを終了する。表示部３１の表示状態の切り替えは、液晶表示状態にあるときには液晶非表示状態に切り替え、液晶非表示状態にあるときには液晶表示状態に切り替える処理となる。なお、ハーフミラー３２の表面がタッチされていないと判定されたときには、そのまま本ルーチンを終了する。
【００２７】
一方、ステップＳ１０２で着座していないと判定されると、着座フラグＦに値０をセットして（ステップＳ１１６）、液晶非表示状態に切り替えて（ステップＳ１１８）、本ルーチンを終了する。これにより、着座後に立ち去ったときに表示部３１を液晶非表示状態とすることができる。
【００２８】
以上説明した実施例のリモコン付き表示装置２０によれば、液晶表示状態のときには情報表示液晶パネル３４に表示される情報を表示部３１の表示面に表示し、液晶非表示状態のときには表示部３１の表示面を鏡面とすることができる。この結果、使用者は、液晶非表示状態のときには表示部３１の表示面を鏡として利用することができる。しかも、着座センサ６０により着座が検出されると、自動的に液晶表示状態として設定状態を表示することができ、使用者に情報を提供することができる。また、実施例のリモコン付き表示装置２０によれば、表示部３１をタッチすることにより液晶表示状態と液晶非表示状態とを切り替えることができる。この結果、使用者は、必要に応じて情報を表示させたり、鏡として用いることができる。さらに、実施例のリモコン付き表示装置２０によれば、非使用時には液晶非表示状態とするから、全体としての外観をすっきりとしたものにすることができる。
【００２９】
図５は、実施例のリモコン付き表示装置２０のスイッチ部２２の開閉蓋２４を開いた状態のときの様子を説明する説明図である。実施例のリモコン付き表示装置２０のスイッチ部２２は、図示するように、開閉蓋２４により開閉可能になっており、開閉蓋２４の内側には洗浄水の位置や強さ，温度、便座の温度などの設定状態を変更したり、節電のオンオフスイッチや時刻合せなどの状態を設定するためのスイッチ群が収納されている。実施例のリモコン付き表示装置２０では、スイッチ部２２の開閉蓋２４を開くと、図５に例示するように、表示部３１の情報表示領域が大小二つの領域のうちの小さい方の状態表示領域４２から大きい方の操作状況表示領域４４に切り替わって、スイッチによる設定の変更の状態、即ち操作状況を表示する。この切り替えは、照明切替光源３６の照明範囲を切り替えることにより行なわれる。このように、実施例のリモコン付き表示装置２０では、スイッチ部２２の開閉蓋２４の開閉状況に応じて表示部３１における表示面の領域を変更することができる。これにより、より適切な情報を適切な領域を用いて表示することができる。
【００３０】
実施例のリモコン付き表示装置２０では、ハーフミラー３２の表面の静電容量の変化に基づいて操作者がハーフミラー３２の表面にタッチしたか否かを検出し、液晶表示状態と液晶非表示状態とを切り替えるものとしたが、図６の変形例のリモコン付き表示装置２０Ｂに示すように、表示部３１Ｂを図中矢印方向に微少量の機械的な変位によるスイッチとし、そのスイッチ操作により液晶表示状態と液晶非表示状態とを切り替えるものとしてもよい。また、図７の変形例のリモコン付き表示装置２０Ｃに示すように、表示状態切り替えスイッチ４６を設け、このスイッチ４６の操作により液晶表示状態と液晶非表示状態とを切り替えるものとしてもよい。
【００３１】
実施例のリモコン付き表示装置２０では、スイッチ部２２の開閉蓋２４の開閉状態により表示部３１の表示領域を切り替えるものとしたが、開閉蓋２４の開閉状態により情報表示液晶パネル３４による表示内容を変更するものとしてもよい。
【００３２】
実施例のリモコン付き表示装置２０では、着座センサ６０により着座を検出したときには一旦液晶表示状態としたが、着座センサ６０を備えないタイプでは、タッチセンサ３８による切り替えだけで液晶表示状態と液晶非表示状態とを切り替えるものとしてもかまわない。また、実施例のリモコン付き表示装置２０では、着座センサ６０により着座を検出したときに一旦液晶表示状態としたが、赤外線などを用いて温水洗浄便座への人の接近を検出する人検出センサにより温水洗浄便座への人の接近を検出したときに一旦液晶表示状態とするものとしてもよい。
【００３３】
実施例のリモコン付き表示装置２０では、表示部３１をハーフミラー３２と情報表示液晶パネル３４と照明切替光源３６とにより構成したが、図８の変形例の表示部３１Ｄに示すように、表示面から透明パネル３２Ｄ，情報表示用液晶３４Ｄ，表面を鏡面処理した背景パネル３６Ｄにより構成するものとしてもよい。この場合、情報表示液晶パネル３４による情報の表示の有無により、液晶表示状態と液晶非表示状態とを切り替えることができる。また、この変形例の表示部３１Ｄでは、スイッチ部２２の開閉蓋２４の開閉状態に基づいて情報表示液晶パネル３４Ｄによる情報の表示領域を変更すればよい。さらに、この変形例の表示部３１Ｄについては、スイッチ部２２におけるスイッチの操作に基づいて、例えば洗浄強さや便座温度などに基づいて情報の表示領域を変更することもできる。変形例の表示部３１Ｄでは、背景パネル３６Ｄの表面を鏡面処理したが、所望の背景としてもよい。こうすれば、液晶非表示状態における表示面を所望の背景とすることができ、液晶非表示状態における外観をより好ましいものとすることができる。
【００３４】
実施例のリモコン付き表示装置２０では、温水洗浄便座のリモートコントロール装置に適用したが、温水洗浄しないが便座を加温するタイプの便座のリモートコントロール装置に適用するものとしてもかまわない。また、便座以外のリモートコントロール装置、例えば浴室の追い炊き操作や差し湯の操作，浴槽内の湯温の設定操作などを行なうリモートコントロール装置に適用するものとしてもよい。この場合、リモートコントロール装置は、浴槽のすぐ近くの壁面に取り付けられることとなる。あるいは洗面台に取り付けられた湯水混合水栓からの吐水温度の設定や洗面台の下部に収納された電気温水器の温度の設定を行なうリモートコントロール装置に適用するものとしてもよい。この場合、洗面台の鏡面の一部を表示装置として用いることもできる。こうすれば、普段は鏡面として使用し、湯水混合温度の吐水温度の設定や電気温水器の温度の設定の際には鏡面の一部を情報表示面として用いることができる。
【００３５】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例であるリモコン付き表示装置２０の外観を示す斜視図である。
【図２】実施例のリモコン付き表示装置２０の構成の概略を示す構成図である。
【図３】実施例のリモコン付き表示装置２０の電子制御ユニット５０により実行される表示切替処理ルーチンの一例を示すフローチャートである。
【図４】表示部３１が液晶表示状態に切り替えられたときと非液晶表示状態に切り替えられたときの表示部３１の状態の一例を示す説明図である。
【図５】実施例のリモコン付き表示装置２０のスイッチ部２２の開閉蓋２４を開いた状態のときの様子を説明する説明図である。
【図６】変形例のリモコン付き表示装置２０Ｂの外観の一例を示す説明図である。
【図７】変形例のリモコン付き表示装置２０Ｃの外観の一例を示す説明図である。
【図８】変形例の表示部３１Ｄの構成の概略を示す構成図である。
【符号の説明】
２０，２０Ｂ，２０Ｃ，２０Ｄ  リモコン付き表示装置、２２  スイッチ部、２４  開閉蓋、３０  表示装置、３１，３１Ｂ，３１Ｃ，３１Ｄ  表示部、３２，３２Ｄ  ハーフミラー、３４，３４Ｄ  情報表示液晶パネル、３６，３６Ｄ  照明切替光源、３８  タッチセンサ、４０  グラフィックコントローラ、４２  状態表示領域、４４  操作状況表示領域、５０  電子制御ユニット、５２  ＣＰＵ、５４  ＲＯＭ、５６  ＲＡＭ、６０  着座センサ。
【図１】
0004368065.tif 000002
【図２】
0004368065.tif 000003
【図３】
0004368065.tif 000004
【図４】
0004368065.tif 000005
【図５】
0004368065.tif 000006
【図６】
0004368065.tif 000007
【図７】
0004368065.tif 000008
【図８】
0004368065.tif 000009